(57)【要約】【課題】住宅の小屋裏の換気を迅速に行う。【解決手段】陸屋根Ｒから突出した筒状の立ち上り部２の上部に設けられたトップライト３と、立ち上り部２の周面に設けられるとともに、上端面に上端開口部４ｂ，５ｂ及び下端面に下端開口部４ａ，５ａが形成された中空の通気用パネル４，５と、前記通気用パネル４，５の上端開口部４ｂ，５ｂと屋外とを連通する通路を確保しつつ、前記上端開口部４ｂ，５ｂの上方を覆う水切部材１０と、を備え、陸屋根Ｒには前記通気用パネル４，５の下端開口部４ａ，５ａに対応する位置に屋根開口部Ｒ１，Ｒ２を形成し、前記通気用パネル４，５を、その下端開口部４ａ，５ａを前記屋根開口部Ｒ１，Ｒ２に合わせた状態で、陸屋根Ｒに設置する。【選択図】図１
2006307594.tif 000002
【特許請求の範囲】
【請求項１】
屋根から突出した筒状の立ち上り部の上部に設けられたトップライトと、
前記立ち上り部の周面に設けられるとともに、上端面に上端開口部及び下端面に下端開口部が形成された中空の通気用パネルと、
前記通気用パネルの上端開口部と屋外とを連通する通路を確保しつつ、前記上端開口部の上方を覆う水切部材と、を備え、
前記屋根には前記通気用パネルの下端開口部に対応する位置に屋根開口部が形成されており、
前記通気用パネルは、その下端開口部を前記屋根開口部に合わせた状態で、前記屋根に設置されていることを特徴とする小屋裏の換気構造。
【請求項２】
前記水切部材は、前記トップライトから延出していることを特徴とする請求項１に記載の小屋裏の換気構造。
【請求項３】
前記通気用パネルの上端面は、前記立ち上り部の上端面と面一もしくは該立ち上り部の上端面よりも低く設けられていることを特徴とする請求項１又は２に記載の小屋裏の換気構造。
【請求項４】
前記立ち上り部には、断熱材が設けられていることを特徴とする請求項１〜３のいずれか一項に記載の小屋裏の換気構造。
【請求項５】
前記立ち上り部の周面には前記通気用パネルが複数設けられており、
隣接する前記通気用パネルの間には、これらが固定されるガイド部材が設けられていることを特徴とする請求項１〜４のいずれか一項に記載の小屋裏の換気構造。
【発明の詳細な説明】
【技術分野】
【０００１】
本発明は、住宅の小屋裏空間の換気構造に関する。
【背景技術】
【０００２】
従来より、住宅の小屋裏の換気構造として、棟換気構造が知られている。この棟換気構造は、外壁等の吸気口から流入させた外気を小屋裏空間を介して棟部分の排気口から排気するもので、空気の温度差によって発生する自然対流を利用したものである。
【０００３】
一方、陸屋根等のように屋根が水平若しくは屋根勾配が小さい場合は、小屋裏内にて自然対流が発生しにくいため、棟換気構造では小屋裏を充分に換気することはできない。よって、パラペットの上部に排気口を形成し、小屋裏から外壁内部の中空部を通じてパラペット上部の排気口から排気を行う技術が提案されている（特許文献１参照）。
【特許文献１】特開平１１−２７００８１号公報
【発明の開示】
【発明が解決しようとする課題】
【０００４】
しかしながら、特許文献１の換気構造では、パラペットは屋根の端部に設けられているため、屋根が広い場合等に、小屋裏内の空気がパラペットまで移動する流路が長くなり小屋裏の換気に時間がかかるという問題があった。
【０００５】
本発明の課題は、住宅の小屋裏の換気を迅速に行うことである。
【課題を解決するための手段】
【０００６】
以上の課題を解決するため、請求項１に記載の発明は、例えば図１及び２に示すように、屋根（例えば、陸屋根Ｒ）から突出した筒状の立ち上り部２の上部に設けられたトップライト３と、
前記立ち上り部２の周面に設けられるとともに、上端面に上端開口部４ｂ〜７ｂ及び下端面に下端開口部４ａ，５ａが形成された中空の通気用パネル４〜７と、
前記通気用パネル４〜７の上端開口部４ｂ〜７ｂと屋外とを連通する通路を確保しつつ、前記上端開口部４ｂ〜７ｂの上方を覆う水切部材１０と、を備え、
前記屋根（例えば、陸屋根Ｒ）には前記通気用パネル４〜７の下端開口部４ａ，５ａに対応する位置に屋根開口部Ｒ１，Ｒ２が形成されており、
前記通気用パネル４〜７は、その下端開口部４ａ，５ａを前記屋根開口部Ｒ１，Ｒ２に合わせた状態で、前記屋根（例えば、陸屋根Ｒ）に設置されていることを特徴としている。
【０００７】
請求項１に記載の発明によれば、小屋裏Ｇ内で温められた空気は、屋根（例えば、陸屋根Ｒ）に形成された屋根開口部Ｒ１，Ｒ２とこれらの屋根開口部Ｒ１，Ｒ２に合わせた下端開口部４ａ，５ａとを通じて通気用パネル４〜７内へと上昇し、上端開口部４ｂ〜７ｂから通気用パネル４〜７の外へ出て屋外へと排気される。よって、小屋裏Ｇ内の換気を行うことができる。また、この小屋裏の換気構造１は、屋根（例えば、陸屋根Ｒ）の所望の場所に形成することができるため、小屋裏Ｇ内の空気が通気用パネル４〜７へと移動する流路を短くすることができる。従って、小屋裏Ｇの換気を迅速に行うことができる。さらに、小屋裏Ｇの空気は通気用パネル４〜７の内部を移動するため、滞ることなく空気が移動でき、小屋裏Ｇの換気を効率的に行うことができる。
また、立ち上り部２にはトップライト３が設けられているため、室内への良好な採光を確保することができる。
さらに、通気用パネル４〜７の上端開口部４ｂ〜７ｂの上方には水切部材１０が設けられているため、上端開口部４ｂ〜７ｂから通気用パネル４，５内へと雨水が入るのを防ぐことができる。
【０００８】
請求項２に記載の発明は、請求項１に記載の小屋裏の換気構造１において、例えば図１及び２に示すように、前記水切部材１０は、前記トップライト３から延出していることを特徴としている。
【０００９】
請求項２に記載の発明によれば、水切部材１０はトップライト３から通気用パネル４〜７の上端開口部４ｂ〜７ｂの上方へと延出しているため、トップライト３と立ち上り部２との境界や、立ち上り部２と通気用パネル４〜７との境界に雨水が浸透するのを防ぐことができる。
【００１０】
請求項３に記載の発明は、請求項１又は２に記載の小屋裏の換気構造１において、例えば図２に示すように、前記通気用パネル４〜７の上端面は、前記立ち上り部２の上端面と面一もしくは該立ち上り部２の上端面よりも低く設けられていることを特徴としている。
【００１１】
請求項３に記載の発明によれば、通気用パネル４〜７の上端面は、立ち上り部２の上端面と面一もしくは立ち上り部２の上端面よりも低く設けられているため、通気用パネル４〜７がトップライト３へ差し込む光を遮ることを防ぐことができる。よって、室内の採光性が向上する。
【００１２】
請求項４に記載の発明は、請求項１〜３のいずれか一項に記載の小屋裏の換気構造１において、例えば図１に示すように、前記立ち上り部２には、断熱材２ｅが設けられていることを特徴としている。
【００１３】
請求項４に記載の発明によれば、立ち上り部２には断熱材２ｅが設けられているため、通気用パネル４〜７内を移動する空気の熱が室内へと伝わることを防ぐことができる。
【００１４】
請求項５に記載の発明は、請求項１〜４のいずれか一項に記載の小屋裏の換気構造１において、例えば図２に示すように、前記立ち上り部２の周面には前記通気用パネル４〜７が複数設けられており、
隣接する前記通気用パネル４〜７の間には、これらが固定されるガイド部材８が設けられていることを特徴としている。
【００１５】
請求項５に記載の発明によれば、立ち上り部２の周面には前記通気用パネル４〜７が複数設けられており、隣接する通気用パネル４〜７の間には、これらが固定されるガイド部材８が設けられているため、通気用パネル４〜７の位置決めが容易になるとともに、通気用パネル４〜７を確実に固定することができる。
【発明の効果】
【００１６】
本発明によれば、小屋裏内の空気が通気用パネルへと移動する流路を短くすることができるため、小屋裏の換気を迅速に行うことができるとともに、小屋裏の換気を効率的に行うことができる。
【発明を実施するための最良の形態】
【００１７】
以下、図を参照して本発明を実施するための最良の形態を詳細に説明する。
図１は、屋根勾配の小さい陸屋根Ｒの略中央に設けられた小屋裏の換気構造１を示す断面図である。この小屋裏の換気構造１は、陸屋根Ｒから突出した立ち上り部２の上部に設けられた筒状のトップライト３と、立ち上り部２の周面に設けられた４つの通気用パネル４〜７と、トップライト３の周囲に設けられた水切部材１０と、を備えている。
【００１８】
図１，２に示すように、立ち上り部２は、陸屋根Ｒから突出した矩形の筒状体であり、陸屋根Ｒの傾斜方向に直交して設けられた断熱パネル２ａ，２ｂと、陸屋根Ｒの傾斜方向に沿って設けられた断熱パネル（図示せず）とから形成されている。これらの断熱パネル２ａ，２ｂは、陸屋根Ｒに設置されており、その内部には断熱材２ｅが充填されている。また、立ち上り部２の上端面、すなわち断熱パネル２ａ，２ｂの上端面は、後述するトップライト３と平行になっている。
【００１９】
図１に示すように、立ち上り部２、すなわち断熱パネル２ａ，２ｂの内側には防湿シート２ｆが２枚重ねて設置され、さらにその内側に、石膏ボード２ｇが設けられている。この石膏ボード２ｇは、天井Ｃ面の開口から上方に向かって、矩形筒状体を形成している。
【００２０】
トップライト３は、立ち上り部２の上部に、該立ち上り部２の上端面から突出するとともに、水平面から傾斜して設けられている。また、このトップライト３は電動によって開閉可能な構造となっており、トップライト３を開けることによって室内の換気を行うことができる。
【００２１】
図２に示すように、４つの通気用パネル４〜７は立ち上り部２の外周面に当接した状態で、陸屋根Ｒに設置されている。これらの隣接する通気用パネル４〜７の間には、同じく陸屋根Ｒに設置された４つのガイド部材８が設けられており、通気用パネル４〜７はこれらのガイド部材８に止着材によって固定されている。なお止着材とは、釘やビス、接着剤等をいう。
【００２２】
通気用パネル４〜７は、下端面に下端開口部４ａ，５ａ（図１参照）及び上端面に上端開口部４ｂ〜７ｂがそれぞれ形成されており、これら下端開口部４ａ，５ａ（図１参照）と上端開口部４ｂ〜７ｂとを連通する中空部を備えている。また、トップライト３の傾斜方向に沿って設けられた２つの通気用パネル６，７の上端面は、隣接する立ち上り部２の上端面と面一になっている。一方、トップライト３の傾斜方向に直交して設けられた２つの通気用パネル４，５の上端面は、隣接する立ち上り部２の上端面よりも低い水平面となっている。さらに、通気用パネル４〜７の上端開口部４ｂ〜７ｂには、虫等の侵入及び落下を防ぐ防虫網９が取付けられており、通気用パネル４〜７及びガイド部材８の外周面には、塩化ビニルシート１１（図１参照）が取付けられている。
【００２３】
図１に示すように、陸屋根Ｒには、通気用パネル４，５の下端開口部４ａ，５ａに対応する位置に屋根開口部Ｒ１，Ｒ２が形成されており、通気用パネル４，５はその下端開口部４ａ，５ａを屋根開口部Ｒ１，Ｒ２に合わせた状態となっている。また、通気用パネル６，７も同様に、図示しないその下端開口部を図示しない屋根開口部に合わせた状態となっている。
【００２４】
図１に示すように、水切部材１０は、トップライト３の側面から通気用パネル４，５の上方を覆うように延出し、通気用パネルの上端開口部４ｂ，５ｂと屋外とを連通する通路を確保するために、通気用パネル４，５から離間した状態で通気用パネル４，５の側面側へと折り曲げられている。同様に、水切部材１０は通気用パネル６，７（図２参照）上端開口部６ｂ，７ｂ（図２参照）の上方にも延出されており、通気用パネルの上端開口部６ｂ，７ｂと屋外とを連通する通路を確保するために、通気用パネル６，７から離間した状態で通気用パネル６，７の側面側へと折り曲げられている。
【００２５】
次に、以上のように構成される小屋裏の換気構造１における空気の流れを説明する。
【００２６】
まず、小屋裏Ｇ内において温められて軽くなった空気が上昇し、陸屋根Ｒに設けられた屋根開口部Ｒ１，Ｒ２及び下端開口部４ａ，５ａ等を介して通気用パネル４〜７内へと移動する。
【００２７】
通気用パネル４〜７内へと移動した空気はさらに上昇を続け、上端開口部４ｂ〜７ｂを介して通気用パネル４〜７の外へ排出される。上端開口部４ｂ〜７ｂから排出された空気は水切部材１０によって上昇を妨げられるが、上端開口部４ｂ〜７ｂから新たに排出される空気によって水切部材１０と通気用パネル４〜７との間隙へと押し出され、屋外へと排気される。
【００２８】
このように、小屋裏Ｇから屋外へと排気される空気の対流が発生し、小屋裏Ｇの換気が行われる。
【００２９】
以上の実施形態によれば、小屋裏Ｇ内で温められた空気は、陸屋根Ｒに形成された屋根開口部Ｒ１，Ｒ２とこれらの屋根開口部Ｒ１，Ｒ２に一致した下端開口部４ａ，５ａとを通じて通気用パネル４〜７内へと上昇し、上端開口部４ｂ〜７ｂから通気用パネル４〜７の外へ出て屋外へと排気される。よって、小屋裏Ｇ内の換気を行うことができる。また、この小屋裏の換気構造１は、陸屋根Ｒの所望の場所に形成することができるため、小屋裏Ｇ内の空気が通気用パネル４〜７へと移動する流路を短くすることができる。従って、小屋裏Ｇの換気を迅速に行うことができる。さらに、小屋裏Ｇの空気は通気用パネル４〜７の内部を移動するため、滞ることなく空気が移動でき、小屋裏Ｇの換気を効率的に行うことができる。
また、立ち上り部２にはトップライト３が設けられているため、室内への良好な採光を確保することができる。
【００３０】
また、水切部材１０はトップライト３から通気用パネル４〜７の上端開口部４ｂ〜７ｂの上方へと延出しているため、トップライト３と立ち上り部２との境界、立ち上り部２と通気用パネル４〜７との境界、及び通気用パネル４〜７内に雨水が浸透するのを防ぐことができる。
【００３１】
通気用パネル４，５の上端面は、立ち上り部２の上端面よりも低く設けられており、通気用パネル６，７の上端面は、立ち上り部２の上端面と面一となっているため、通気用パネル４〜７がトップライト３へ差し込む光を遮ることを防ぐことができる。よって、室内の採光性が向上する。
【００３２】
さらに、立ち上り部２、すなわち断熱パネル２ａ，２ｂには断熱材２ｅが設けられているため、通気用パネル４〜７内を移動する空気の熱が室内へと伝わることを防ぐことができる。
【００３３】
また、立ち上り部２の周面には４つの通気用パネル４〜７が設けられており、隣接する通気用パネル４〜７の間には、これらが固定されるガイド部材８が設けられているため、通気用パネル４〜７の位置決めが容易になるとともに、通気用パネル４〜７を確実に固定することができる。
【００３４】
なお、以上の実施形態においては、小屋裏の換気構造１を陸屋根Ｒに形成したが、本発明はこれに限定されるものではなく、屋根勾配の大きい屋根や水平な平屋根等に形成しても良い。また、小屋裏の換気構造１は屋根の端部等に形成してもよく、１つの屋根に対して複数設けてもよい。さらに、立ち上り部２に設けられる断熱材２ｅは、グラスウールやロックウール等、断熱性を有するものであればよい。
【図面の簡単な説明】
【００３５】
【図１】本発明に係る小屋裏の換気構造の一実施形態の構成を示す断面図である。
【図２】本発明に係る小屋裏の換気構造の水切部材を外した状態の概略斜視図である。
【符号の説明】
【００３６】
１  小屋裏の換気構造
２  立ち上り部
２ｅ  断熱材
３  トップライト
４，５，６，７  通気用パネル
４ａ，５ａ  下端開口部
４ｂ，５ｂ，６ｂ，７ｂ  上端開口部
８  ガイド部材
１０  水切部材
Ｒ  陸屋根
Ｒ１，Ｒ２  屋根開口部
Ｇ  小屋裏
【図１】
2006307594.tif 000003
【図２】
2006307594.tif 000004